(57)【要約】      （修正有）【課題】軸受手段の内側部材に装着された固定手段が緩んだとしても軸部材を回転自在に支持することができる軸受装置を提供すること。【解決手段】軸部材２２を回転自在に支持する軸受手段６と、軸受手段６が装着された軸受ハウジング４とを具備し、軸受手段６は、外側部材１６、内側部材１８及びこれらの間に介在された複数の転動部材２０と、内側部材１８を軸部材２２に固定するための第１固定手段とを備える軸受装置。内側部材１８に関連して、外れ防止駆動伝達体３０が設けられ、外れ防止駆動伝達体３０は、外れ防止スリーブ３２と、外れ防止スリーブ３２を軸部材２２に固定するための第２固定手段３４とを備え、外れ防止スリーブ３２には、内側部材１８の一端部を収容するための環状収容凹部４０が設けられているとともに、第１固定手段の一部を収容するための突出収容凹部４２が設けられている。【選択図】図２
2011027145.tif 000002
【特許請求の範囲】
【請求項１】
軸部材を回転自在に支持する軸受手段と、前記軸受手段が装着された軸受ハウジングとを具備し、前記軸受手段は、前記軸受ハウジングに装着された外側部材と、前記外側部材の径方向内方に配設された内側部材と、前記外側部材と前記内側部材との間に配設された複数の転動部材と、前記内側部材の一端部に装着された第１固定手段と、を備え、前記軸部材を前記第１固定手段によって前記内側部材に一体的に回動するように支持する軸受装置において、
前記軸受手段の前記内側部材に関連して、前記第１固定手段の外れを防止するための外れ防止駆動伝達体が設けられ、前記外れ防止駆動伝達体は、前記第１固定手段を覆うように前記軸部材に装着される外れ防止スリーブと、前記外れ防止スリーブを前記軸部材に固定するための第２固定手段とを備え、前記外れ防止スリーブには、前記内側部材の前記一端部に対応して環状収容凹部が設けられるとともに、前記第１固定手段の一部に対応して突出収容凹部が設けられ、前記外れ防止スリーブを所要の通りに装着すると、前記内側部材の前記一端部が前記外れ防止スリーブの前記環状収容凹部に収容されるとともに、前記第１固定手段の一部が前記外れ防止スリーブの前記突出収容凹部に収容されることを特徴とする軸受装置。
【請求項２】
前記第１固定手段は複数の第１固定用ねじから構成され、前記複数の第１固定用ねじによって前記内側部材を前記軸部材に固定すると、前記複数の第１固定用ねじの一部が前記内側部材の外周面から径方向外方に突出するように構成され、また前記外れ防止スリーブの前記突出収容凹部は前記複数の第１固定用ねじに対応して設けられ、前記外れ防止スリーブを所要の通りに装着すると、前記複数の第１固定用ねじの前記一部が前記外れ防止スリーブの対応する前記突出収容凹部に収容されることを特徴とする請求項１に記載の軸受装置。
【請求項３】
前記外れ防止駆動伝達体の第２固定手段は複数の第２固定用ねじから構成され、前記複数の第２固定用ねじに対応して前記突出収容凹部が設けられ、前記複数の第２固定用ねじと前記複数の第１固定用ねじとを軸方向に整合させるようにして前記外れ防止スリーブが前記軸部材に装着されることを特徴とする請求項２に記載の軸受装置。
【請求項４】
前記外れ防止スリーブには、これを被嵌するように緩み防止リングが装着され、前記緩み防止リングは前記第２固定手段に作用して外れ方向の移動を阻止することを特徴とする請求項１〜３のいずれかに記載の軸受装置。
【請求項５】
軸部材を回転自在に支持する軸受手段と、前記軸受手段が装着された軸受ハウジングととから構成される軸受装置に関連して用いられる外れ防止駆動伝達体であって、
前記軸受手段の内側部材を前記軸部材に固定するための前記第１固定手段を覆うように前記軸部材に装着される外れ防止スリーブと、前記外れ防止スリーブを前記軸部材に固定するための第２固定手段とを備え、前記外れ防止スリーブには、前記内側部材の前記一端部に対応して環状収容凹部が設けられるとともに、前記第１固定手段の一部に対応して突出収容凹部が設けられていることを特徴とする外れ防止駆動伝達体。
【発明の詳細な説明】
【技術分野】
【０００１】
本発明は、軸部材を回転自在に支持するための軸受装置及びこれに用いる外れ防止駆動伝達体に関する。
【背景技術】
【０００２】
軸部材を回転自在に支持するための軸受装置が広く用いられている（例えば、非特許文献１参照）。この種の軸受装置は、軸部材を回転自在に支持する軸受手段と、軸受手段が装着された軸受ハウジングとを具備し、この軸受手段は、軸受ハウジング装着された外側部材と、外側部材の内方に配設された内側部材と、これらの間に配設された複数の転動部材を備えている。また、内側部材の一端部には固定手段としての一対の固定用ねじが装着され、一対の固定用ねじによって、内側部材が軸部材に固定される。
【０００３】
このような支持状態においては、軸部材が軸受手段の内側部材に一体的に回動するように支持され、軸部材が回動されると、軸受ハウジングに装着された軸受手段の外側部材に対して複数の転動部材を介して軸受手段の内側部材及び軸部材が相対的に回動される。
【先行技術文献】
【非特許文献】
【０００４】
【非特許文献１】伝動機ドットコム  NTN鋳鉄ビロ−型ユニット給油式  UCP204D1、インターネット〈URL:http://store.shopping.yahoo.co.jp/dendouki/ntn-ucp204d1.html〉、平成２１年７月１３日検索
【発明の概要】
【発明が解決しようとする課題】
【０００５】
しかしながら、この種の軸受装置には、次の通りの解決すべき問題が存在する。軸部材が高速で回転するときには、回転に伴う振動などによって一対の固定用ねじが緩み易く、かかる固定用ねじが緩むと、軸部材からの回動力が軸受手段の内側部材に伝達されず、軸部材を軸受装置の軸受手段によって所要の通りに回転自在に支持することができなくなる。また、この緩みが大きくなると、固定用ねじが軸受手段の内側部材から外れるおそれが生じる。
【０００６】
本発明の目的は、軸受手段の内側部材に装着された固定手段が緩んだとしても軸部材を回転自在に支持することができる軸受装置を提供することである。
【０００７】
また、本発明の他の目的は、軸受手段の内側部材に装着された固定用ねじの外れを確実に防止することができる軸受装置を提供することである。
【０００８】
更に、本発明の他の目的は、固定用ねじが緩んだ場合においても軸部材の回動力を軸受装置の内側部材に伝えてこの軸部材を回転自在に支持することができる外れ防止駆動伝達体を提供することである。
【課題を解決するための手段】
【０００９】
本発明の請求項１に記載の軸受装置は、軸部材を回転自在に支持する軸受手段と、前記軸受手段が装着された軸受ハウジングとを具備し、前記軸受手段は、前記軸受ハウジングに装着された外側部材と、前記外側部材の径方向内方に配設された内側部材と、前記外側部材と前記内側部材との間に配設された複数の転動部材と、前記内側部材の一端部に装着された第１固定手段と、を備え、前記軸部材を前記第１固定手段によって前記内側部材に一体的に回動するように支持する軸受装置において、
前記軸受手段の前記内側部材に関連して、前記第１固定手段の外れを防止するための外れ防止駆動伝達体が設けられ、前記外れ防止駆動伝達体は、前記第１固定手段を覆うように前記軸部材に装着される外れ防止スリーブと、前記外れ防止スリーブを前記軸部材に固定するための第２固定手段とを備え、前記外れ防止スリーブには、前記内側部材の前記一端部に対応して環状収容凹部が設けられるとともに、前記第１固定手段の一部に対応して突出収容凹部が設けられ、前記外れ防止スリーブを所要の通りに装着すると、前記内側部材の前記一端部が前記外れ防止スリーブの前記環状収容凹部に収容されるとともに、前記第１固定手段の一部が前記外れ防止スリーブの前記突出収容凹部に収容されることを特徴とする。
【００１０】
また、本発明の請求項２に記載の軸受装置では、前記第１固定手段は複数の第１固定用ねじから構成され、前記複数の第１固定用ねじによって前記内側部材を前記軸部材に固定すると、前記複数の第１固定用ねじの一部が前記内側部材の外周面から径方向外方に突出するように構成され、また前記外れ防止スリーブの前記突出収容凹部は前記複数の第１固定用ねじに対応して設けられ、前記外れ防止スリーブを所要の通りに装着すると、前記複数の第１固定用ねじの前記一部が前記外れ防止スリーブの対応する前記突出収容凹部に収容されることを特徴とする。
【００１１】
また、本発明の請求項３に記載の軸受装置では、前記外れ防止駆動伝達体の第２固定手段は複数の第２固定用ねじから構成され、前記複数の第２固定用ねじに対応して前記突出収容凹部が設けられ、前記複数の第２固定用ねじと前記複数の第１固定用ねじとを軸方向に整合させるようにして前記外れ防止スリーブが前記軸部材に装着されることを特徴とする。
【００１２】
また、本発明の請求項４に記載の軸受装置では、前記外れ防止スリーブには、これを被嵌するように緩み防止リングが装着され、前記緩み防止リングは前記第２固定手段に作用して外れ方向の移動を阻止することを特徴とする。
【００１３】
更に、本発明の請求項５に記載の外れ防止駆動伝達体は、軸部材を回転自在に支持する軸受手段と、前記軸受手段が装着された軸受ハウジングとから構成される軸受装置に関連して用いられる外れ防止駆動伝達体であって、
前記軸受手段の内側部材を前記軸部材に固定するための前記第１固定手段を覆うように前記軸部材に装着される外れ防止スリーブと、前記外れ防止スリーブを前記軸部材に固定するための第２固定手段とを備え、前記外れ防止スリーブには、前記内側部材の前記一端部に対応して環状収容凹部が設けられるとともに、前記第１固定手段の一部に対応して突出収容凹部が設けられていることを特徴とする外れ防止駆動伝達体。
【発明の効果】
【００１４】
本発明の請求項１に記載の軸受装置によれば、軸受手段の内側部材が第１固定手段を介して軸部材に固定され、また内側部材に関連し設けられた外れ防止駆動伝達体は外れ防止スリーブ及び第２固定部材を備え、外れ防止スリーブが第２固定手段を介して軸部材に固定され、外れ防止スリーブを所要の通りに装着した状態では、内側部材の一端部が外れ防止スリーブの環状収容凹部に収容されるとともに、第１固定手段の一部が外れ防止スリーブの突出収容凹部に収容されるので、通常、軸部材の回動力が第１固定手段を介して軸受手段の内側部材に伝達され、また第１固定手段が緩んだときには、軸部材の回動力が第２固定手段、外れ防止スリーブ及び第１固定手段を介してこの内側部材に伝達され、従って仮に第１固定手段が緩んだとしても軸受手段でもって軸部材を安定的に回転支持することができる。また、第１固定手段の一部が外れ防止スリーブの突出収容凹部に収容されるので、第１固定手段の外れが外れ防止スリーブの突出収容凹部の底部によって確実に防止される。
【００１５】
また、本発明の請求項２に記載の軸受装置によれば、第１固定手段は複数の第１固定用ねじから構成され、複数の第１固定用ねじによって内側部材を軸部材に固定すると、複数の第１固定用ねじの一部が前記内側部材の外周面から径方向外方に突出し、この突出端部が外れ防止スリーブの突出収容凹部に収容されるので、仮に第１固定用ねじが緩んだときにはこの突出収容部の底部によって緩み方向の移動が阻止され、これによって、第１固定用ねじの外れを確実に防止することができる。また、このような状態においては、複数の第１固定用ねじの一部が外れ防止スリーブの突出収容凹部の側壁部に当接し、軸部材の回動力が第２固定手段、外れ防止スリーブ及び第１固定手段（複数の第１固定用ねじ）を介して軸受手段の内側部材に伝達され、従って、このようなときにも軸部材を軸受手段によって安定的に回転支持することができる。尚、第１固定用ねじとしては、例えば、六角穴付き止ねじを用いることができる。
【００１６】
また、本発明の請求項３に記載の軸受装置によれば、外れ防止駆動伝達体の第２固定手段が複数の第２固定用ねじから構成され、複数の第２固定用ねじに対応して外れ防止スリーブに突出収容凹部が設けられているので、外れ防止スリーブの複数の第２固定用ねじと軸受け手段の内側部材の複数の第１固定用ねじとを軸方向に整合させるようにして外れ防止スリーブを装着することによって、複数の第１固定用ねじが外れ防止スリーブの対応する突出収容凹部に収容され、かくして、外れ防止スリーブを内側部材の一部を覆うように容易に装着することができる。
【００１７】
また、本発明の請求項４に記載の軸受装置によれば、外れ防止スリーブを被嵌するように緩み防止リングが装着されるので、この緩み防止リングが第２固定手段に作用して外れ方向の移動を阻止し、これによって、第２固定手段の緩みが防止され、軸部材からの回動力が第２固定手段、外れ防止スリーブ及び第１固定手段を介して軸受手段の内側部材に確実に伝達される。
【００１８】
更に、本発明の請求項５に記載の外れ防止駆動伝達体によれば、軸受手段の内側部材に装着された第１固定手段を覆うように装着される外れ防止スリーブと、外れ防止スリーブを軸部材に固定するための第２固定手段とを備え、外れ防止スリーブを所要の通りに装着した状態では、軸受手段の内側部材に装着された第１固定手段の一部が外れ防止スリーブの突出収容凹部に収容されるので、第１固定手段が緩んだときには、軸部材の回動力が第２固定手段、外れ防止スリーブ及び第１固定手段を介してこの内側部材に伝達され、従って仮に第１固定手段が緩んだとしても軸受手段でもって軸部材を安定的に回転支持することができる。また、外れ防止スリーブの突出収容凹部に軸受装置の第１固定手段の一部が収容されるので、外れ防止スリーブにより第１固定手段の外れを確実に防止することができる。
【図面の簡単な説明】
【００１９】
【図１】本発明に従う軸受装置の一実施形態を一部分解して示す分解斜視図。
【図２】図１に示す軸受装置を示す断面図。
【図３】図１の軸受装置の外れ防止駆動伝達体を示す斜視図。
【図４】図３の外れ防止駆動伝達体を示す側面図。
【図５】軸受装置の他の実施形態を示す断面図。
【発明を実施するための形態】
【００２０】
以下、添付図面を参照して、本発明に従う軸受装置の一実施形態について説明する。図１及び図２において、図示の軸受装置２は、軸受ハウジング４と、この軸受ハウジング４に装着された軸受手段６とを備えている。軸受ハウジング４は、略半円筒状のハウジング本体８を備え、このハウジング本体８の両側部に取付突部１０が設けられている。各取付突部１０には取付孔１２が設けられ、かかる取付孔１２を通して取付ねじ（図示せず）を取り付ける、或いはボルト及びナットにより締め付けるなどして横柱、梁などに取り付けられる。
【００２１】
この軸受ハウジング４のハウジング本体８の略中央部には円形状の貫通孔１４（図２参照）が設けられ、軸受手段６はかかる貫通孔１４に装着されている。図示の軸受手段６は、軸受ハウジング４に装着された外側部材１６と、この外側部材１６の径方向内方に配設された内側部材１８と、外側部材１６と内側部材１８との間に配設された複数の転動部材２０とを備えている。
【００２２】
外側部材１６及び内側部材１８は円筒スリーブ状であり、内側部材１８の一端部（図１及び図２において右側部）は外側部材１６よりも長く延びている。図２に示すように、外側部材１６は軸受ハウジング４内に収容され、また内側部材１８の他端側（図１及び図２において左端側）も軸受ハウジング４内に収容されているが、この内側部材１８の一端部は軸受ハウジング４から外側に突出している。
【００２３】
複数の転動部材２０は、周方向に間隔をおいて配設され、この実施形態では、軸方向（図２において左右方向）に２列に配設されている。このような転動部材２０は、例えば円筒状のもの、球状のものなどを用いることができる。尚、この実施形態では、軸方向に間隔をおいて２列に配設しているが、一列に配設するようにしてもよい。
【００２４】
電動モータの如き駆動源（図示せず）により回転駆動される軸部材２２は、軸受手段６の内側部材１８を挿通して支持され、このことに関連して、内側部材１８の一端部（軸受ハウジング４から突出する端部）には第１固定手段２４が設けられている。この形態では、第１固定手段２４は一対の固定用ねじ２６（図１及び図２においてそれらの一方のみを示す）から構成されている。内側部材１８の一端部には、周方向に間隔（例えば、１２０度の間隔）をおいて一対の雌ねじ孔が設けられ、かかる雌ねじ孔に第１固定用ねじ２６が螺着されている。
【００２５】
このように構成されているので、第１固定用ねじ２６を締め付けることによって、内側部材１８が軸部材２２に固定され、このように固定することによって、軸部材２２の回動力が第１固定用ねじ２６を介して内側部材１８に伝達され、軸受ハウジング４に取り付けられた外側部材１６に対して転動部材２０を介して内側部材１６及び軸部材２２が相対的に回転され、この軸受手段６を介して軸部材２２が回転自在に支持される。そして、第１固定用ねじ２６を締め付けた状態では、その一部（頭部側）が内側部材１６の外周面から径方向外方に突出する。上述した構成は、従来から知られている軸受装置と実質上同一である。
【００２６】
この軸受装置２では、軸受手段６の内側部材１８に関連して、外れ防止駆動伝達体３０が設けられている。図示の外れ防止駆動伝達体３０は、外れ防止スリーブ３２と、この外れ防止スリーブ３２に装着された第２固定手段３４とを備え、第２固定手段３４が一対の第２固定用ねじ３６（図１及び図２においてそれらの一方のみを示す）から構成されている。尚、第１及び第２固定用ねじ２６，３６としては、例えば、六角穴付き止ねじなどを用いることができる。
【００２７】
図３及び図４をも参照して、外れ防止スリーブ３２の中央部には円形状の貫通孔３８が設けられている。また、この外れ防止スリーブ３２の一端面、即ち装着の際に軸受ハウジング４側となる端面には、この貫通孔３８の外側に環状収容凹部４０が設けられ、この環状収容凹部４０の内径は、軸受手段６の内側部材１８の外径より幾分大きく形成されている。この一端面には、更に、軸受手段６の内側部材１８に装着された一対の第１固定用ねじ２６（第１固定手段）に対応して一対の突出収容凹部４２が設けられ、これら突出収容凹部４２は環状収容凹部４０から径方向外方に延びている。これら突出収容凹部４２は、第１固定用ねじ２６の上記一部（内側部材１８から突出する部分）よりも幾分大きく形成されている。
【００２８】
このように構成されているので、外れ防止スリーブ３２の貫通孔３８を通して軸部材２２が装着され、第２固定手段３４としての一対の第２固定用ねじ３６が軸部材２２に固定される。かかる装着状態においては、図２に示すように、軸受手段６の内側部材１８の一端部（軸受ハウジング８から軸方向外方に突出する部分）が外れ防止スリーブ３２の環状収容凹部に収容されるとともに、内側部材１８に装着された一対の第１固定用ねじ２６の一部（内側部材１８から突出する部分）が外れ防止スリーブ３２の突出収容凹部４２に収容される。この収容状態においては、外れ防止スリーブ３２の一端面側が内側部材１８の一端部及びこれに装着された第１固定用ねじ２６を覆い、特に第１固定用ねじ２６の一部（突出する部分）が突出収容凹部４２に収容されてその底部によって覆われるので、第１固定用ねじ２６の外れ方向の移動がこの突出収容凹部４２の底部によって確実に阻止され、振動などによる第１固定用ねじ２６の外れを確実に防止することができる。
【００２９】
この外れ防止駆動伝達体３０に関連して、外れ防止スリーブ３２の一対の突出収容凹部４２と第２固定手段３４の一対の第２固定用ねじ３６とを相互に対応させて設ける（換言すると、これらを軸方向に整合させて設ける）のが好ましい。このように構成することによって、外れ防止駆動伝達体３０を装着する際に、軸受手段６の内側部材１８の一対の第１固定用ねじ２６と外れ防止スリーブ３２の一対の第２固定用ねじ３６とを軸方向（図２において左右方向）に整合させて外れ防止スリーブ３２を軸受ハウジング８側に移動させればよく、こようにすることによって、内側部材１８の一対の第１固定用ねじ２６の一部を外れ防止スリーブ３２の一対の突出収容凹部４２に容易に収容することができる。
【００３０】
この軸受装置２は、上述した構成を有するので、次の通りの特徴を有する。外れ防止スリーブ３２を所要の通りに装着した状態では、図２に示す如く、軸受手段６の内側部材１８が第１固定手段２４（一対の第１固定用ねじ２６）により軸部材２２に固定される。また、外れ防止スリーブ３２はこの内側部材１８の一部（軸受ハウジング８から突出する部分）を覆うように軸部材２２に装着され、内側部材１８の上記一部が外れ防止スリーブ３２の環状収容凹部４０に収容され、内側部材１８に装着された第１固定手段２４（一対の第１固定用ねじ２６）が外れ防止スリーブ３２の突出収容凹部４２に収容され、この外れ防止スリーブ３２が第２固定手段３４（一対の第２固定用ねじ３６）により軸部材２２に固定される。
【００３１】
この通常の装着状態においては、軸部材２２の回動力が第１固定手段２４（一対の第１固定用ねじ２６）を介して軸受手段６の内側部材１８に伝達され、この内側部材１８及び軸部材２２が転動部材２０介して外側部材１６に対して相対的に回動され、軸受手段６を介して軸部材２２を安定的に支持することができる。
【００３２】
また、振動などにより第１固定手段２４が緩むと、図２から容易に理解される如く、軸受手段６の内側部材１８に対して軸部材２２及び外れ防止スリーブ３２が相対的に幾分回動し、外れ防止スリーブ３２の突出収容凹部４２の側壁部が内側部材１８の第１固定手段２４の一部（内側部材１８から径方向外方に突出する部分）に当接し、外れ防止スリーブ３２が第１固定手段２４に作用するようになる。この状態のときには、軸部材２２の回動力は第２固定手段３４（一対の第２固定用ねじ３６）、外れ防止スリーブ３２及び第１固定手段２４（一対の第１固定用ねじ２６）を介して軸受手段６の内側部材１８に伝達され、この内側部材１８及び軸部材２２が、上述したと同様に、転動部材２０介して外側部材１６に対して相対的に回動され、第１固定手段２４が緩んだときにも軸受手段６を介して軸部材２２を安定的に支持することができる。
【００３３】
更に、外れ防止スリーブ３２は軸受手段６の内側部材１８の上記一部を覆うように装着されるので、外れ防止スリーブ３２の外径は内側部材１８よりも大きくなり、このことに関連して、内側部材１８を固定するための第１固定手段２４（一対の第１固定用ねじ２６）よりも外れ防止スリーブ３２を固定するための第２固定手段３４（一対の第２固定用ねじ３６）をより大きなものを用いることが可能となり、これによって、第２固定手段３４により外れ防止スリーブ３２をより強く軸部材２２に固定することができ、第２固定手段３４の緩みをより抑えることができる。
【００３４】
この軸受装置は、例えば、図５に示すように構成することができる。尚、図５において、図１〜図４に示す部材と実質上同一の部材には同一の参照番号を付し、その説明を省略する。
【００３５】
図５において、この軸受装置２’では、外れ防止駆動伝達体３０の外れ防止スリーブ３２を被嵌して緩み防止リング４８が装着される。この緩み防止リング４８は、外れ防止スリーブ３２に装着された第２固定手段３４（この実施形態では、一対の第２固定用ねじ３６）を覆うように外れ防止スリーブ３２に圧入され、その内周面が第２固定手段３４（一対の第２固定用ねじ３６）の先端に作用するように取り付けられる。
【００３６】
このような装着状態においては、緩み防止リング４８が第２固定手段３４（一対の第２固定用ねじ３６）に作用し、第２固定手段４８の緩み方向の移動を阻止し、かくして第２固定手段３４は固定状態に確実に保持される。従って、軸部材２２の回動力が第２固定手段４８、外れ防止スリーブ３２及び第１固定手段２４を介して軸受手段６の内側部材１８に伝達され、この回動力が確実に内側部材１８に伝達され、その結果、軸部材２２を軸受手段６を介して安定的に回転支持することができる。
【００３７】
尚、緩み防止リングとして短円筒形状のものに代えて、例えば、一般的に使用されているスナップリング（所謂、Ｃ型止め輪）を利用することもできる。この場合、第２固定手段（一対の第２固定用ねじ）を通るように、外れ防止スリーブ３２の外周面に環状溝を設け、かかる環状溝にスナップリングを弾性的に装着するようにすればよく、かくスナップリングを装着したときにも、スナップリングが第２固定手段（一対の第２固定用ねじ）に作用し、第２固定手段の緩み方向の移動を阻止する。
【００３８】
上述した実施形態では、本発明を軸受装置に適用して説明したが、この軸受装置の外れ防止駆動伝達体は既存の軸受装置の付属品としても適用することができる。
【００３９】
以上、本発明に従う軸受装置について説明したが、本発明はかかる実施形態に限定されるものではなく、本発明の範囲を逸脱することなく種々の変更乃至修正が可能である。
【００４０】
上述した実施形態では、第１及び第２固定手段２４，３４として２個の第１及び第２固定用ねじ２６，３６から構成しているが、これらを３個以上の第１及び第２固定用ねじから構成するようにしてもよく、或いは第１固定用ねじ２６と第２固定用ねじ３６とを異なる個数にしてもよい。
【００４１】
また、例えば、上述した実施形態では、軸受手段６を外側部材１６、内側部材１８及びこれらの間に介在された転動部材２０から構成しているが、このような構成に限定されず、この軸受手段を外側部材、内側部材及びこれらの間に介在された一対の軸受から構成するようにしてもよく、この場合、軸受は、外側部材に装着される外輪と、内側部材に装着される内輪と、これら外輪と内輪との間に介在される複数の転動部材から構成される。
【符号の説明】
【００４２】
２  軸受装置
４  軸受ハウジング
６  軸受手段
１６  外側部材
１８  内側部材
２０  転動部材
２２  軸部材
２４  第１固定手段
３０  外れ防止駆動転動体
３２  外れ防止スリーブ
３４  第２固定手段
４０  環状収容凹部
４２  突出収容凹部
４８  緩み防止リング
【図１】
2011027145.tif 000003
【図２】
2011027145.tif 000004
【図３】
2011027145.tif 000005
【図４】
2011027145.tif 000006
【図５】
2011027145.tif 000007